(57)【要約】 【課題】甲の部分が広く開いている靴は脱げ易く歩きにくい。歩き易くするため足の甲と靴を押さえるシューズバンドが取り外しできないと他の靴に使用できない。又長さ調節ができにくいシューズバンドは足のサイズ靴のサイズが変わってしまうと使いにくい。又靴底を通るシューズバンドは汚れやすい。【解決手段】中止め具と下止め具が結合され、上止め具の軸と前記下止め具の軸受けとが結合された部分を支点に、前記上止め具が回転し、前記中止め具を押したり戻したりする着脱止め具、又は、上止め具の軸受けと、下止め具の軸が結合し、前記上止め具と前記下止め具との間に結合されたバネ板が押されて曲がったり復元したりする着脱止め具とが、開け閉めすることで靴の縁への着脱を可能にし、前記着脱止め具とベルトが接続され、前記ベルトに取り付けられた調節具の中で、ベルトがスライドすることで長さ調節をする。【選択図】図６
2011015907.tif 000002
【特許請求の範囲】
【請求項１】
一端に上滑り止めａと他端に押し部ａとベルト通し穴ａを設け、小突起ａを折り曲げ軸受けａを設け、バネ板止目ａを設けた上止め具ａと、開け閉めする時の動力となるバネ板と、一端に下滑り止ａと他端に押し部ｂを設け、小突起ｂを折り曲げて軸ａを設け、バネ板止めｂを設けた下止め具ａとで、前記軸ａと前記軸受けａが結合されていて、前記バネ板が前記上止め具ａと前記下止め具ａの間に結合されている着脱止め具ａ及びｂと、前記着脱止め具ａに接続された足の甲を押さえるベルトからなるシューズバンド。          
【請求項２】
ベルトの一端が調節具中心に取り付けられていて、前記ベルトの他端がベルト通し穴ａを通り、次にベルト通し穴ｃを通り、さらにベルト通し穴ｄを通り着脱止め具ｂに取り付けられていて、前記ベルトがスライドすることで長さ調節ができる調節具とからなる請求項１に記載のシューズバンド。
【請求項３】
一端に押し部ｃと軸ｂを設け略直角方向に曲げられた上止め具ｂと、一端に上滑り止めｂと他端に舌片ａを設けた中止め具ａと、一端に下滑り止めｂと他端にベルト通し穴ｂと小突起ｃと同じ方向に折り曲げた舌片受けａを設け、前記小突起ｃを折り曲げて軸受けｂを設けた下止め具ｂとで、前記軸ｂと前記軸受けｂが結合されていて、前記舌片ａと前記舌片受けａが結合している着脱止め具ｃ及びｄと、前記着脱止め具ｃに接続された
足の甲を押さえるベルトとからなるシューズバンド。
【請求項４】
ベルトの一端が調節具中心に取り付けられていて、前記ベルトの他端がベルト通し穴ｂを通り、次にベルト通し穴ｃを通り、さらにベルト通し穴ｄを通り着脱止め具ｄに取り付けられていて、前記ベルトがスライドすることで長さ調節ができる調節具とからなる請求項３に記載のシューズバンド
【請求項５】
一端に押し部ｄと軸ｃを設け略直角方向に曲げられた上止め具ｃと、一端に上滑り止めｃと他端に舌片ｂを設けた中止め具ｂと、一端に下滑り止めｃと他端に小突起ｄと同じ方向に曲げられた舌片受けｂを設け前記小突起ｄを折り曲げて軸受けｃを設けた下止め具ｃとで、前記軸ｃと前記軸受けｃが結合されていて、前記舌片ｂと前記舌片受けｂが結合している着脱止め具ｅ及びｆと、前記着脱止め具ｅ及びｆと結合されたリングａ及びｂと、前記リングａ及びｂに接続された足の甲を押さえるベルトとからなるシューズバンド。
【請求項６】
ベルトの一端が調節具中心に取り付けられていて、前記ベルトの他端がリングａを通り、次にベルト通し穴ｃを通り、さらにベルト通し穴ｄを通り、リングｂに取り付けられ、さらに着脱止め具ｆに結合されていて、前記ベルトがスライドすることで長さ調節ができる調節具とからなる請求項５に記載のシューズバンド。
【発明の詳細な説明】
【技術分野】
【０００１】
本発明は、着脱止め具の部品を開け閉めすることで着脱できる着脱止め具と調節具を使って長さ調節のできるベルトを組み合わせたシューズバンドで靴の縁上部をはさみ、足の甲の部分を押さえて靴を脱げにくくするものである。
【背景技術】
【０００２】
従来婦人靴で足の甲の部分が広く開いた靴は歩く時脱げ易く、靴を脱げないように    足の甲を押さえるバンドが、靴の外側をぐるりと一周（図４参照）するため、靴底の    バンドの部分が汚れやすく、又靴の片方が固定されているもの（例えば実用新案文献    １参照）では、バンドの部分の長さが調節しにくいものがあり、取り外せないので他    の靴に利用できなかった。又こども靴では、こどもの足の成長が早いため大きめの靴    を履く事もあり足と靴の間に隙間ができて脱げ易かった。
【先行技術文献】
【特許文献】
【０００３】
【特許文献１】登録実用新案第３０３５８１５号公報
【発明の概要】
【発明が解決しようとする課題】
【０００４】
足の甲の部分が広く開いている靴は脱げ易く歩きにくい。歩き易くするため足の甲と靴を押さえるシューズバンドが取り外しできないと他の靴に使用できない。又長さ調節ができにくいシューズバンドは足のサイズ靴のサイズが変わってしまうと使いにくい。又靴底を通るシューズバンドは汚れやすいので踵の低い靴に使用できない。
【課題を解決するための手段】
【０００５】
本発明は、このような従来の問題を解決しようとするもので、着脱可能で長さ調節ができるシューズバンドを提供することにより、靴が脱げるのを防止することを目的とするものである。
【０００６】
本発明は、一端に上滑り止めａと他端に押し部ａとベルト通し穴ａを設け、小突起ａを折り曲げ軸受けａを設け、バネ板止目ａを設けた上止め具ａと、開け閉めする時の動力となるバネ板と、一端に下滑り止ａと他端に押し部ｂを設け、小突起ｂを折り曲げて軸ａを設け、バネ板止めｂを設けた下止め具ａとで、前記軸ａと前記軸受けａが結合されていて、前記バネ板が前記上止め具ａと前記下止め具ａの間に結合されている着脱止め具ａ及びｂと、前記着脱止め具ａに接続された足の甲を押さえるベルトからなるシューズバンド又は、ベルトの一端が調節具中心に取り付けられていて、前記ベルトの他端がベルト通し穴ａを通り、次にベルト通し穴ｃを通り、さらにベルト通し穴ｄを通り着脱止め具ｂに取り付けられていて、前記ベルトがスライドすることで長さ調節ができる調節具とからなる請求項１に記載のシューズバンド又は、一端に押し部ｃと軸ｂを設け略直角方向に曲げられた上止め具ｂと、一端に上滑り止めｂと他端に舌片ａを設けた中止め具ａと、一端に下滑り止めｂと他端にベルト通し穴ｂと小突起ｃと同じ方向に折り曲げた舌片受けａを設け、前記小突起ｃを折り曲げて軸受けｂを設けた下止め具ｂとで、前記軸ｂと前記軸受けｂが結合されていて、前記舌片ａと前記舌片受けａが結合している着脱止め具ｃ及びｄと、前記着脱止め具ｃに接続された足の甲を押さえるベルトとからなるシューズバンド又は、ベルトの一端が調節具中心に取り付けられていて、前記ベルトの他端がベルト通し穴ｂを通り、次にベルト通し穴ｃを通り、さらにベルト通し穴ｄを通り着脱止め具ｄに取り付けられていて、前記ベルトがスライドすることで長さ調節ができる調節具とからなる請求項３に記載のシューズバンド又は、一端に押し部ｄと軸ｃを設け略直角方向に曲げられた上止め具ｃと、一端に上滑り止めｃと他端に舌片ｂを設けた中止め具ｂと、一端に下滑り止めｃと他端に小突起ｄと同じ方向に曲げられた舌片受けｂを設け前記小突起ｄを折り曲げて軸受けｃを設けた下止め具ｃとで、前記軸ｃと前記軸受けｃが結合されていて、前記舌片ｂと前記舌片受けｂが結合している着脱止め具ｅ及びｆと、前記着脱止め具ｅ及びｆと結合されたリングａ及びｂと、前記リングａ及びｂに接続された足の甲を押さえるベルトとからなるシューズバンド。又は、ベルトの一端が調節具中心に取り付けられていて、前記ベルトの他端がリングａを通り、次にベルト通し穴ｃを通り、さらにベルト通し穴ｄを通り、リングｂに取り付けられ、さらに着脱止め具ｆに結合されていて、前記ベルトがスライドすることで長さ調節ができる調節具とからなる請求項５に記載のシューズバンドを提供することにより上記課題を解決したものである。
【発明の効果】
【０００７】
本発明のシューズバンドは、取り付けが出来るようにして靴が脱げるのを防止することが出来た。また取り付け取り外しが自由なのでほかの靴にも使うことが出来る。長さ調節が出来るので足のサイズや靴のサイズが変わっても適合出来るようになった。また靴底をシューズバンドが通らないので汚れなくなった。
【図面の簡単な説明】
【０００８】
【図１】シューズバンドを着用した際の説明図
【図２】靴にシューズバンドを取り付けた際の説明図
【図３】調節具の正面図
【図４】シューズバンドの着用例の説明図
【図５】靴とシューズバンドの断面図で脱止め具ａ及びｂを用いた時
【図６】靴とシューズバンドの断面図で調節具と着脱止め具ａ及びｂを用いた時
【図７】靴とシューズバンドの断面図で着脱止め具ｃ及びｄを用いた時
【図８】靴とシューズバンドの断面図で調節具と着脱止め具ｃ及びｄを用いた時
【図９】靴とシューズバンドの断面図で着脱止め具ｅ及びｆを用いた時
【図１０】靴とシューズバンドの断面図で調節具と着脱止め具ｅ及びｆを用いた時
【図１１】シューズバンドの正面図で着脱止め具ｅ及びｆを用いた時
【図１２】シューズバンドの正面図で調節具と着脱止め具ｅ及びｆを用いた時
【図１３】着脱止め具ａ及びｂの斜視図
【図１４】着脱止め具ａ及びｂの個別部品の説明（１）上止め具ａの説明図  （２） バネ板の説明図（３）下止め具ａの説明図
【図１５】（１）着脱止め具ａ及びｂを開いて靴の縁に取り付ける時の説明図                （２）着脱止め具ａ及びｂを閉じて靴の縁から取り外す時の説明図
【図１６】着脱止め具ｃ及びｄの斜視図
【図１７】着脱止め具ｃ及びｄの個別部品の説明図（１）上止め具ｂの説明図（２）中止め具ａの説明図（３）下止め具ｂの説明図
【図１８】（１）着脱止め具ｃ及びｄを開いて靴の縁に取り付ける時の説明図                （２）着脱止め具ｃ及びｄを閉じて靴の縁から取り外す時の説明図
【図１９】着脱止め具ｅ及びｆの斜視図
【図２０】着脱止め具ｅ及びｆの個別部品の説明図（１）上止め具ｃの説明図（２）中止め具ｂの説明図（３）下止め具ｃの説明図（４）リングａ及びｂの説明図
【図２１】（１）着脱止め具ｅ及びｆを開いて靴の縁に取り付ける時の説明図                （２）着脱止め具ｅ及びｆを閉じて靴の縁から取り外す時の説明図
【発明を実施するための形態】
【０００９】
図１は、本シューズバンド５３を着用した際の説明図である。靴の縁を挟んで取り付けている状態である。
【００１０】
図２は、靴の縁にシューズバンド５３を取り付けた際の説明図である。
【００１１】
図３は、調節具２９の正面図である。調節具中心３０を設けていてベルト通し穴ｃ４７とベルト通し穴ｄ４８の部分は開いている。この部分をベルトが自由に行き来する。
【００１２】
図４は、従来のシューズバンドの着用例の説明図である
【００１３】
（シューズバンドを靴に着脱する方法の説明は００２３に示す。）
図５は、図２のＡ−Ａの断面図で、着脱止め具ａ１及びｂ２を取り付けた時のベルト２８のつなぎ方の説明である。靴の縁上部ａ２４を挟んでいる着脱止め具ａ１のベルト通し穴ａ４５に、前記ベルト２８の一端が接続され、他端が前記着脱止め具ｂ２に接続され、前記着脱止め具ｂ２が靴の縁上部ｂ２５を挟んでいる。
【００１４】
図６は図２のＡ−Ａの断面図で、調節具２９と着脱止め具ａ１及びｂ２を取り付けた時のベルト２８の通し方の説明である。靴の縁上部ａ２４を挟んでいる着脱止め具ａ１のベルト通し穴ａ４５を、前記調節具２９に設けられた調節具中心３０に取り付けられている前記ベルト２８の一端が通り、次にベルト通し穴ｃ４７を通り、さらにベルト通し穴ｄ４８を通り、着脱止め具ｂ２と接続され、前記着脱止め具ｂ２が靴の縁上部ｂ２５を挟んでいる。まず、前記ベルト２８をルーズに動かして長さを決め、次に前記ベルト２８を左右に引くと前記ベルト２８と前記ベルト２８さらに前記調節具２９との間に摩擦が生じ、前記ベルト２８が固定して長さ調節が出来る。
【００１５】
（シューズバンドを靴に着脱する方法の説明は００２６に示す。）
図７は、図２のＡ−Ａの断面図で、着脱止め具ｃ３及びｄ４を取り付けた時のベルト２８のつなぎ方の説明である。靴の縁上部ａ２４を挟んでいる着脱止め具ｃ３のベルト通し穴ｂ４６に、前記ベルト２８の一端が接続され、他端が着脱止め具ｄ４と接続され、前記着脱止め具ｄ４が靴の縁上部ｂ２５を挟んでいる。
【００１６】
図８は、図２のＡ−Ａの断面図で、調節具２９と着脱止め具ｃ３及びｄ４を取り付けた時のベルト２８の通し方の説明である。靴の縁上部ａ２４を挟んでいる着脱止め具ｃ３のベルト通し穴ｂ４６を、前記調節具２９に設けられた調節具中心３０に取り付けられている前記ベルト２８の一端が通り、次にベルト通し穴ｃ４７を通り、さらにベルト通し穴ｄ４８を通り、着脱止め具ｄ４と結合され、前記着脱止め具ｄ４が靴の縁上部ｂ２５を挟んでいる。まず、前記ベルト２８をルーズに動かして長さを決め、次に前記ベルト２８を左右に引くと前記ベルト２８と前記ベルト２８さらに前記調節具２９との間に摩擦が生じ、前記ベルト２８が固定して長さ調節ができる。
【００１７】
（シューズバンドを靴に着脱する方法の説明は００２９に示す。）
図９は、図２のＡ−Ａの断面図で、着脱止め具ｅ５及び着脱止め具ｆ６を取り付けた時のベルト２８のつなぎ方の説明である。靴の縁上部ａ２４を挟んでいる着脱止め具ｅ５がリングａ７と結合され、前記リングａ７と前記ベルト２８の一端が接続され、他端が着脱止め具ｆ６と接続され、前記着脱止め具ｆ６が靴の縁上部ｂ２５を挟んでいる。
【００１８】
図１０は図２のＡ−Ａの断面図で、調節具２９と着脱止め具ｅ５及び着脱止め具ｆ６を取り付けた時のベルト２８の通し方の説明である。靴の縁上部ａ２４を挟んでいる前記着脱止め具ｅ５がリングａ７と結合され、前記調節具２９に設けられた調節具中心３０に取り付けられている前記ベルト２８の一端が前記リングａ７を通り、次にベルト通し穴ｃ４７を通り、さらにベルト通し穴ｄ４８を通りリングｂ８に接続され、前記リングｂ８が前記着脱止め具ｆ６と結合され、靴の縁上部ｂ２５を挟んでいる。まず、前記ベルト２８をルーズに動かして長さを決め、次に前記ベルト２８を左右に引くと、前記ベルト２８と前記ベルト２８さらに前記調節具２９との間に摩擦が生じ、前記ベルト２８が固定して長さ調節が出来る。
【００１９】
図１１は、シューズバンド５３の正面図である。
着脱止め具ｅ５とリングａ７が結合され、前記リングａ７にベルト２８が接続され、前記ベルト２８にリングｂ８が接続され、前記リングｂ８に着脱止め具ｆ６が結合している図である。又前記着脱止め具ｅ５及びｆ６に替えて、図１６に示すリングの代わりにベルトを通す穴が本体と一体になっている着脱止め具ｃ３及びｄ４を取り付けた場合、又は図１３に示すバネの力で開け閉めする着脱止め具ａ１及びｂ２を取り付けた場合も同じつなぎ方である。なお、ベルトの素材を伸縮性のある線維やゴム、ビニール、革などで作ればデザイン性の高いシューズバンドになる。
【００２０】
図１２は、シューズバンドを５３の正面図である。調節具２９と着脱止め具ｅ５及び着脱止め具ｆ６を取り付けた場合で、前記着脱止め具ｅ５とリングａ７が結合され、前記リングａ７に前記調節具２９が装着されたベルト２８が接続され、前記ベルト２８にリングｂ８が接続され、前記リングｂ８に前記着脱止め具ｆ６が結合している図である。又前記着脱止め具ｅ５及びｆ６に替えて、図１６に示すリングの代わりにベルトを通す穴が本体と一体になっている着脱止め具ｃ３及びｄ４を取り付けた場合、又は図１３に示すバネの力で開け閉めする着脱止め具ａ１及びｂ２を取り付けた場合も同じつなぎ方である。なお、ベルトの素材を伸縮性のある線維やゴム、ビニール、革などで作ればデザイン性の高いシューズバンドになる。
【００２１】
図１３は、着脱止め具ａ１及びｂ２の斜視図である。
この着脱止め具ａ１及びｂ２は、一端に上滑り止めａ１８と他端に押し部ａ４１とベルト通し穴ａ４５を設け、小突起ａ４９を折り曲げて軸受けａ３４を設け、バネ板止めａ２６を設けた上止め具ａ９と、開け閉めする時の動力となるバネ板１２と、一端に下滑り止めａ２１と他端に押し部ｂ４２を設け、小突起ｂ５０を折り曲げて軸ａ３１を設け、バネ板止めｂ２７を設けた下止め具ａ１５とからなる。前記軸ａ３１と前記軸受けａ３４が結合されていて、バネ板１２が前記上止め具ａ９と前記下止め具ａ１５の間に結合され、前記バネ板止めａ２６と前記バネ板止めｂ２７により固定され、バネの反発力が働いて前記押し部ａ４１と前記押し部ｂ４２の間が開き、逆に前記上滑り止めａ１８と前記下滑り止めａ２１の間が閉じる。
【００２２】
図１４は、図１３の個別部品の説明図である。
図１４の（１）は、上止め具ａ９の説明図である。
一端に上滑り止めａ１８と他端に押し部ａ４１とベルト通し穴ａ４５を設け、小突起ａ４９を折り曲げて軸受けａ３４を設け、バネ板１２を、固定する為のバネ板止めａ２６とからなる。
図１４の（２）は、バネ板１２の説明図である。
Ｕ字型にしたバネの弾力を利用して、着脱止め具を開け閉めする。
図１４の（３）は、下止め具ａ１５の説明図である。
一端に下滑り止めａ２１と他端に押し部ｂ４２を設け、小突起ｂ５０を折り曲げて軸ａ３１を設け、バネ板１２を固定する為のバネ板止めｂ２７とからなる。      
【００２３】
図１５は、着脱止め具ａ１及びｂ２を開け閉めして靴の縁に取り付け
取り外しをする方法の説明図である。
図１５の（１）は、着脱止め具ａ１及びｂ２が開いた時の説明図である。一端に上滑り止めａ１８と他端に押し部ａ４１とベルト通し穴ａ４５を設け、小突起ａ４９を折り曲げて軸受けａ３４を設け、バネ板止めａ２６とからなる上止め具ａ９と、Ｕ字に曲げられた弾力性のあるバネ板１２と、一端に下滑り止めａ２１と他端に押し部ｂ４２を設け、小突起ｂ５０を折り曲げて軸ａ３１を設け、バネ板止めｂ２７とからなる下止め具ａ１５とで、前記軸ａ３１と前記軸受けａ３４が結合されている。又、前記バネ板１２が前記上止め具ａ９と前記下止め具ａ１５の間に結合されていて前記バネ板止めａ２６と前記バネ板止めｂ２７により固定されている。押し部ａ４１と、押し部ｂ４２を同時に押すと、前記バネ板１２が曲がり、上滑り止めａ１８と下滑り止めａ２１の間が開くように力が加わる。ここに靴の縁上部ａ２４を入れる。
図１５の（２）は、着脱止め具ａ１及びｂ２が閉じているところの説明図である。
前記図１５（１）の状態から、前記押し部ａ４１と前記押し部ｂ４２を押す力を取り除くと、前記バネ板１２が元に戻る力で、前記押し部ａ４１と前記押し部ｂ４２の間が開き、逆に前記上滑り止めａ１８と前記下滑り止めａ２１の間が閉じて、前記靴の縁上部ａ２４が固定する。
【００２４】
図１６は、着脱止め具ｃ３及びｄ４の斜視図である。
この着脱止め具ｃ３及びｄ４は、一端に押し部ｃ４３と軸ｂ３２を設け略直角方向に曲げられた上止め具ｂ１０と、一端に上滑り止めｂ１９と他端に舌片ａ３７を設けた中止め具ａ１３と、一端に下滑り止めｂ２２と他端にベルト通し穴ｂ４６と小突起ｃ５１と同じ方向に折り曲げた舌片受けａ３９を設け、前記小突起ｃ５１を折り曲げて軸受けｂ３５を設けた下止め具ｂ１６とからなる。前記軸ｂ３２と前記軸受けｂ３５が結合され、前記舌片ａ３７と前記舌片受けａ３９が結合されている。前記上滑り止めｂ１９と前記下滑り止めｂ２２の間が開いており、この間に靴の縁を入れる。
【００２５】
図１７は、図１６の個別部品の説明図である。
図１７の（１）は、上止め具ｂ１０の説明図である。一端に押し部ｃ４３と軸ｂ３２を設け、略直角方向に曲げられている。
図１７の（２）は、中止め具ａ１３の説明図である。一端に上滑り止めｂ１９と他端に舌片ａ３７を設けている。
図１７の（３）は、下止め具ｂ１６の説明図である。一端に下滑り止めｂ２２を設け他端にベルト通し穴ｂ４６と小突起ｃ５１と同じ方向に折り曲げた舌片受けａ３９を設け、前記小突起ｃ５１を折り曲げて軸受けｂ３５を設けている。
【００２６】
図１８は、着脱止め具ｃ３及びｄ４を開け閉めして靴の縁に取り付け取り外しする方法の図である。
図１８の（１）は、着脱止め具ｃ３及びｄ４が開いている所の説明図である。一端に上滑り止めｂ１９他端に舌片ａ３７を設けた中止め具ａ１３と、一端に下滑り止めｂ２２他端にベルト通し穴ｂ４６と小突起ｃ５１と同じ方向に折り曲げた舌片受けａ３９を設け、前記小突起ｃ５１を折り曲げて軸受けｂ３５を設けた下止め具ｂ１６とが、前記舌片ａ３７と前記舌片受けａ３９で結合されている。又、一端に押し部ｃ４３を設け略直角方向に曲げられた上止め具ｂ１０に設けられている軸ｂ３２と、前記軸受けｂ３５とが結合している状態で、前記上滑り止めｂ１９と前記下滑り止めｂ２２との間が開いているので、この間に靴の縁上部ａ２４を入れる。
図１８の（２）は、着脱止め具ｃ３及びｄ４が閉じているところの説明図である。
前記図１８の（１）の状態から前記軸ｂ３２と前記軸受けｂ３５が結合しているところを支点に、前記上止め具ｂ１０が回転し、前記押し部ｃ４３が前記中止め具ａ１３を押し、前記上滑り止めｂ１９と前記下滑り止めｂ２２の間が閉じて靴の縁上部ａ２４が固定される。
【００２７】
図１９は、着脱止め具ｅ５及びｆ６の斜視図である。この着脱止め具ｅ５及びｆ６は、一端に押し部ｄ４４と軸ｃ３３を設け略直角方向に曲げられた上止め具ｃ１１と、一端に上滑り止めｃ２０他端に舌片ｂ３８を設けた中止め具ｂ１４と、一端に下滑り止めｃ２３と他端に小突起ｄ５２と同じ方向に曲げられた舌片受けｂ４０を設け前記小突起ｄ５２を折り曲げて軸受けｃ３６を設けた下止め具ｃ１７と、リングａ７及びリングｂ８とからなる。前記軸ｃ３３と前記軸受けｃ３６が結合され、前記舌片ｂ３８と前記舌片受けｂ４０と前記リングａ７及びリングｂ８が結合されている。前記上滑り止めｃ２０と前記下滑り止めｃ２３の間が開いており、この間に靴の縁上部を挟むことになる。
【００２８】
図２０は、図１９の個別部品の説明図である。
図２０の（１）は上止め具ｃ１１の説明図である。一端に押し部ｄ４４と軸ｃ３３を設け、略直角方向に曲げられている。
図２０の（２）は、中止め具ｂ１４の説明図である。一端に上滑り止めｃ２０を設け、他端に舌片ｂ３８を設けている。                                                
図２０の（３）は下止め具ｃ１７の説明図である。一端に下滑り止めｃ２３と、他端に小突起ｄ５２と同じ方向に曲げられた舌片受けｂ４０を設け、前記小突起ｄ５２を折り曲げて軸受けｃ３６を設けている。                                      
図２０の（４）は、リングａ７及びリングｂ８の説明図である。
【００２９】
図２１は、着脱止め具ｅ５及びｆ６を開け閉めして靴の縁に取り付け取り外しをする方法の図である。
図２１の（１）は、着脱止め具ｅ５及びｆ６が開いている所の説明図である。一端に上滑り止めｃ２０と他端に舌片ｂ３８を設けた中止め具ｂ１４と、一端に下滑り止めｃ２３と、他端に小突起ｄ５２と同じ方向に曲げられた舌片受けｂ４０を設け、前記小突起ｄ５２を折り曲げて軸受けｃ３６を設けた下止め具ｃ１４と、リングａ７及びリングｂ８とで、前記舌片ｂ８と前記舌片受けｂ４０と前記リングａ７及びリングｂ８が結合している。又、一端に押し部ｄ４４と軸ｃ３３を設け略直角方向に曲げられた上止め具ｃ１１の前記軸ｃ３３と、前記軸受けｃ３６が結合している。前記上滑り止めｃ２０と前記下滑り止めｃ２３の間が開いており、この間に靴の縁上部ａ２４を入れる。
図２１の（２）は、着脱止め具ｅ５及びｆ６が閉じている所の説明図である。
前記図２１（１）の状態から、前記軸ｃ３３と前記軸受けｃ３６が結合しているところを支点に前記上止め具ｃ１１が回転し、前記押し部ｄ４４が前記中止め具ｂ１４を押すので、前記上滑り止めｃ２０と前記下滑り止めｃ２３の間が閉じて靴の縁上部ａ２４が固定される。
【符号の説明】
【００３０】
１  着脱止め具ａ                                                
２  着脱止め具ｂ
３  着脱止め具ｃ
４  着脱止め具ｄ
５  着脱止め具ｅ
６  着脱止め具ｆ
７  リングａ
８  リングｂ                                            
９  上止め具ａ
１０  上止め具ｂ
１１  上止め具ｃ
１２  バネ板
１３  中止め具ａ
１４  中止め具ｂ
１５  下止め具ａ
１６  下止め具ｂ
１７  下止め具ｃ
１８  上滑り止めａ
１９  上滑り止めｂ
２０  上滑り止めｃ
２１  下滑り止めａ
２２  下滑り止めｂ
２３  下滑り止めｃ
２４  靴の縁上部ａ
２５   靴の縁上部ｂ
２６  バネ板止めａ  
２７  バネ板止めｂ
２８  ベルト
２９  調節具
３０  調節具中心
３１  軸ａ
３２  軸ｂ
３３  軸ｃ
３４  軸受けａ
３５  軸受けｂ
３６  軸受けｃ
３７  舌片ａ
３８  舌片ｂ
３９  舌片受けａ
４０  舌片受けｂ
４１  押し部ａ
４２  押し部ｂ
４３  押し部ｃ
４４  押し部ｄ
４５  ベルト通し穴ａ
４６  ベルト通し穴ｂ
４７  ベルト通し穴ｃ
４８  ベルト通し穴ｄ
４９  小突起ａ
５０  小突起ｂ
５１  小突起ｃ
５２  小突起ｄ
５３  シューズバンド
【図１】
2011015907.tif 000003
【図２】
2011015907.tif 000004
【図３】
2011015907.tif 000005
【図４】
2011015907.tif 000006
【図５】
2011015907.tif 000007
【図６】
2011015907.tif 000008
【図７】
2011015907.tif 000009
【図８】
2011015907.tif 000010
【図９】
2011015907.tif 000011
【図１０】
2011015907.tif 000012
【図１１】
2011015907.tif 000013
【図１２】
2011015907.tif 000014
【図１３】
2011015907.tif 000015
【図１４】
2011015907.tif 000016
【図１５】
2011015907.tif 000017
【図１６】
2011015907.tif 000018
【図１７】
2011015907.tif 000019
【図１８】
2011015907.tif 000020
【図１９】
2011015907.tif 000021
【図２０】
2011015907.tif 000022
【図２１】
2011015907.tif 000023